(57)【特許請求の範囲】
【請求項１】
スキー板やスノーボード等の滑走面にワックスを塗るときに使用されるワックス処理装置であって、スキー板等が収容可能で、開閉自在なハッチが設けられた減圧容器と、この減圧容器内に設けた減圧室内の圧力を調節する圧力調節手段と、減圧室内の温度を調節する温度調節手段とを備え、圧力調節手段と温度調節手段とをコントロールボックスによって制御できるように構成したことを特徴とするスキー板等に於けるワックス処理装置。
【請求項２】
温度調節手段は、減圧室内上部に配される複数のヒーターと、このヒーターの下方に配される遮蔽板を兼ねる保護体とによって構成し、この保護体は、スキー板等のヒーターへの接触を防止するように形成したことを特徴とする請求項１記載のスキー板等に於けるワックス処理装置。
【請求項３】
スキー板が載置される複数の支持腕を有する支持体を車輪付き基台の上部に設けてなるラックを形成し、このラックを、ハッチから減圧室内に収容自在となるよう構成したことを特徴とする請求項１または請求項２記載のスキー板等に於けるワックス処理装置。
【発明の詳細な説明】
【０００１】
【発明の属する技術分野】
本発明は、主に、スキー板やスノーボード等の滑走面にワックスを塗るときに使用されるワックス処理装置に係り、スキー板やスノーボード等の滑走面の細部（微小隙間）にまでワックスが入り込むと共に、ワックスが滑走面によく馴染み、しかも、これらの処理がより容易に且つ短時間に行えるように工夫したスキー板等に於けるワックス処理装置に関するものである。
【０００２】
【従来の技術】
従来、スキー板等の滑走面にワックスを塗るには、例えば、ワックス及びスキー板等の滑走面を加熱してワックスを塗るようにすることが一般的に行われている。そして、これをある程度自動的に行えるようにしたものとして、例えば、特開平１１−４２５号公報に記載されているようなワックスがけ装置及びそれに用いるヒータ装置がある。
【０００３】
【発明が解決しようとする課題】
ところが、従来の手段にあっては、スキー板等の滑走面の細部（例えば、滑走面のより小さな凹部や微小隙間等）内にワックスを入り込ませる場合に、細部が小さければ小さい程、細部にある空気が邪魔となってワックスが入り込み難い問題点があった。
【０００４】
【課題を解決するための手段】
そこで、本発明は、前述の如き難点等を解消して、スキー板やスノーボード等の滑走面の細部にまでワックスが入り込むようにすると共に、ワックスが滑走面によく馴染むようにし、しかも、これらの処理がより容易に且つ短時間で行えるようにし、加えて、構成が簡素で、量産に適し、取扱いが容易で、比較的経済的なワックス処理装置を提供すべく創出されたものである。
【０００５】
しかして、請求項１記載のワックス処理装置Ｓにあっては、スキー板２０やスノーボード等の滑走面にワックスを塗るときに使用されるワックス処理装置であって、スキー板２０等が収容可能で、開閉自在なハッチ２が設けられた減圧容器Ａと、この減圧容器Ａ内に設けた減圧室３内の圧力を調節する圧力調節手段と、減圧室３内の温度を調節する温度調節手段とを備え、圧力調節手段と温度調節手段とをコントロールボックス８によって制御できるように構成する手段を採用した。
【０００６】
また、請求項２記載のワックス処理装置Ｓにあっては、温度調節手段は、減圧室３内上部に配される複数のヒーター５と、このヒーター５の下方に配される遮蔽板を兼ねる保護体６とによって構成し、この保護体６は、スキー板等のヒーター５への接触を防止するように形成する手段を採用した。
【０００７】
更に、請求項３記載のワックス処理装置Ｓにあっては、スキー板２０が載置される複数の支持腕１２を有する支持体１１を車輪１３付き基台１０の上部に設けてなるラックＢを形成し、このラックＢを、ハッチ２から減圧室３内に収容自在となるよう構成する手段を採用した。
【０００８】
【発明の実施の形態】
以下、本発明を図示例に基づいて説明すると、次の通りである。
図中Ｓは、主に、スキー板２０やスノーボード等の滑走面にワックスを塗るときに、滑走面の細部（例えば、滑走面の微小凹部や、微小隙間や、或いは、スキー板２０素材の分子レベルの空間を含む）にまでワックスが入り込むと共に、ワックスが滑走面によく馴染み（熟成し）、しかも、これらの処理がより容易に且つ短時間に行えるようにした本発明のワックス処理装置を示し、このワックス処理装置Ｓは、スキー板２０等が収容可能で、その両端（或いは、一端）に開閉自在なハッチ２が設けられた略円筒容器状の減圧容器Ａと、この減圧容器Ａ内に設けた減圧室３内の圧力を調節可能な圧力調節手段と、減圧室３内の温度を調節可能な温度調節手段とを備えたもので、前記圧力調節手段と前記温度調節手段とをコントロールボックス８によって自動的に（或いは、手動的に）制御できるように構成したものである。
【０００９】
すなわち、圧力調節手段によって減圧室３内を適宜減圧（真空状態も含む）することができるように構成され、温度調節手段によって減圧室３内を適宜加熱することができるように構成されている。そして、滑走面にワックスを予め塗っておくと共に滑走面を上向き状態にして減圧室３内に収容したスキー板２０等は、減圧と加熱によって、滑走面の細部（例えば、滑走面のより小さな凹部や微小隙間等）にある空気が抜けると共に、ワックスが細部に入り込むように構成されている。しかして、従来の手段よりも滑走面にワックスがよく馴染むものとなる。
【００１０】
前記減圧容器Ａは、例えば、スキー板２０等の長さ以上に設定される略円筒状の容器基部１を形成し、この容器基部１の左右端部夫々にハッチ２を開閉可能に形成し、更に、容器基部１の斜上部には、減圧室３内のスキー板２０のワックス処理状態が外部から容易に視認できるような確認窓部４が長手方向に沿って複数配置して構成されている。
【００１１】
尚、減圧容器Ａの具体的構成、形状、寸法、材質、数、配設状態、容器基部１の具体的構成、形状、寸法、材質、ハッチ２の具体的構成、形状、寸法、材質、数、配設位置、減圧室３の具体的構成、形状、寸法、確認窓部４の具体的構成、形状、寸法、材質、数、配設位置等は、図示例のもの等に限定されることなく適宜自由に設定、変更できるものである。
【００１２】
減圧室３内の温度を適宜自由にコントロール（例えば、加熱）できる温度調節手段は、例えば、減圧室３内上部に長手方向に沿って配される複数のヒーター５と、このヒーター５の下方に配される遮蔽板（或いは、反射板）を兼ねた保護体６とによって構成されている。すなわち、減圧室３内へのスキー板２０等の出し入れ時に、スキー板２０等がヒーター５に接触することがないように構成して、ヒーター５の損傷防止が図れるようにしてある。また、ヒーター５からの熱が減圧室３内の一番上方のスキー板２０に直接的に伝わることなく、減圧室３内周壁に反射せしめるようにして、減圧室３内の複数のスキー板２０に熱が均一に伝わるように構成されている。
【００１３】
尚、温度調節手段の具体的構成、ヒーター５の具体的構成、形状、寸法、材質、配設位置、数、減圧室３内への具体的装着手段、保護体６の具体的構成、形状、寸法、材質、配設位置、減圧室３内への具体的装着手段等は、図示例のもの等に限定されることなく適宜自由に設定、変更できるものである。
【００１４】
減圧室３内の圧力を適宜自由にコントロール（例えば、減圧、或いは、真空状態に）できる圧力調節手段は、例えば、容器基部１上部に配されると共に、適宜パイプ等によって減圧室３に連通される減圧ポンプ７（例えば、真空ポンプ等）によって構成されている。すなわち、減圧ポンプ７の作動によって減圧室３内の圧力（気圧）を自由に制御できるよう構成されている。
【００１５】
尚、圧力調節手段の具体的構成、減圧ポンプ７の具体的構成、形状、寸法、配設位置、数、減圧容器Ａへの具体的装着手段等は、図示例のもの等に限定されることなく適宜自由に設定、変更できるものである。
【００１６】
前記圧力調節手段と前記温度調節手段とを自動的に制御できるコントロールボックス８は、例えば、減圧容器Ａの上部に固定され、時間軸を基準として、減圧ポンプ７の作動状態の制御や、ヒーター５のＯＮ、ＯＦＦや電流の制御等が自在に設定、変更できるように構成されている。しかも、このコントロールボックス８は、減圧容器Ａの減圧室３内に設けた気圧センサー（図示せず）や温度センサー（図示せず）に連繋されており、より正確な圧力と温度の制御が可能となるよう構成されている。
【００１７】
尚、コントロールボックス８の具体的構成、配設位置、気圧センサーの具体的構成、配設位置、数、温度センサーの具体的構成、配設位置、数等は、図示例のもの等に限定されることなく適宜自由に設定、変更できるものである。
【００１８】
図中Ｂは、複数のスキー板２０を滑走面が上向きとなるように支持できると共に、支持されている複数のスキー板２０を減圧容器Ａのハッチ２から減圧室３内にスムーズに収容できる（或いは、減圧室３内から減圧容器Ａ外にスムーズに取出しできる）ように構成されるラックで、このラックＢは、例えば、略細長矩形枠状の基台１０と、この基台１０の長手方向両端上部に夫々固定される一対の支持体１１と、基台１０の長手方向両端下部左右に夫々装着される四つの車輪１３とを備え、支持体１１夫々には、スキー板２０を支える複数の支持腕１２が上下方向に沿って配されている。すなわち、一対の支持腕１２にスキー板２０を掛け渡すようにして、複数のスキー板２０を支持でき、複数のスキー板２０にワックス処理を一度に施せるようにすると共に、複数のスキー板２０を減圧室３内に安定的に収容しておけるように構成してある。しかも、左右の車輪１３は、略ハ字状に下方が開くように配してあり（図２参照）、ラックＢ自体が減圧室３内で安定的に収容されるように配慮してある。
ところで、図示例のラックＢは、ビンディングがスキー板２０に取付けてない場合の例であって、ビンディングが取付けてあるスキー板２０の場合は、一度に収容できる数が少なくなる。
【００１９】
尚、ラックＢの具体的構成、形状、寸法、材質、基台１０の具体的構成、形状、寸法、材質、支持体１１の具体的構成、形状、寸法、材質、数、配設位置、支持腕１２の具体的構成、形状、寸法、数、配設位置、車輪１３の具体的構成、形状、寸法、材質、数、配設位置等は、図示例のもの等に限定されることなく適宜自由に設定、変更できるものである。
【００２０】
本発明のワックス処理装置Ｓは、以上のように構成されており、次に、その使用例について説明すると、先ず、スキー板２０の滑走面にワックスを塗っておく。そして、滑走面が上になるようにして複数のスキー板２０をラックＢの支持腕１２の上に夫々横架状に支持させる。次に、このラックＢをハッチ２から減圧容器Ａの減圧室３内に収容させ、ハッチ２を閉じる。それから、コントロールボックス８によってヒーター５に電流を流して減圧室３内を加熱し、加えて、減圧ポンプ７を作動して減圧室３内を減圧する。尚、加熱のタイミングや減圧室３内の温度の変化、減圧のタイミングや減圧室３内の気圧の変化等の調節は適宜自由に設定でき、より細かな調節がコントロールボックス８によって可能である。すなわち、スキー板２０の材質や、ワックスの材質や、雪質等に応じて、最適な滑走性能が得られるように適宜調節される。
【００２１】
【発明の効果】
従って、請求項１記載のワックス処理装置Ｓによれば、スキー板２０やスノーボード等の滑走面にワックスを塗るときに使用されるワックス処理装置であって、スキー板２０等が収容可能で、開閉自在なハッチ２が設けられた減圧容器Ａと、この減圧容器Ａ内に設けた減圧室３内の圧力を調節する圧力調節手段と、減圧室３内の温度を調節する温度調節手段とを備え、圧力調節手段と温度調節手段とをコントロールボックス８によって制御できるように構成したので、圧力調節手段によって減圧室３内を適宜減圧することができると共に、温度調節手段によって減圧室３内を適宜加熱することができるようになる。そのため、滑走面にワックスが予め塗られていると共にその滑走面が上向きの状態で減圧室３内に収容されているスキー板２０等にあっては、減圧室３内の減圧と加熱によって、滑走面の細部（例えば、滑走面のより小さな凹部や、微小隙間等）にある空気が抜け易くなると共に、この細部にワックスが入り込み易くなる。すなわち、ワックスが滑走面によく馴染むようになる。ひいては、スキー板２０等の滑走性能がより向上するようになる。
しかも、これらの処理がより容易に、且つ短時間で行えるようになり、加えて、ワックス処理装置Ｓ自身の構成が簡素で、コンパクトとなり、量産に適し、比較的低廉に提供できるようになって、経済的なワックス処理装置Ｓとなる。
更に、コントロールボックス８によって圧力調節手段と温度調節手段とを簡単に、正確に、且つ細かく制御できるようになり、その取扱いが極めて容易なワックス処理装置Ｓとなる。
【００２２】
また、請求項２記載のワックス処理装置Ｓによれば、温度調節手段は、減圧室３内上部に配される複数のヒーター５と、このヒーター５の下方に配される遮蔽板を兼ねる保護体６とによって構成し、この保護体６は、スキー板等のヒーター５への接触を防止するように形成したので、減圧室３内へのスキー板２０等の出し入れによってヒーター５を損傷するのを保護体６で確実に防止できるようになると共に、ヒーター５からの熱が減圧室３内の複数のスキー板２０に均一に伝わるようになる。
【００２３】
更に、請求項３記載のワックス処理装置Ｓによれば、スキー板２０が載置される複数の支持腕１２を有する支持体１１を車輪１３付き基台１０の上部に設けてなるラックＢを形成し、このラックＢを、ハッチ２から減圧室３内に収容自在となるよう構成したので、複数のスキー板２０にワックス処理を一度に施せるようになると共に、複数のスキー板２０を減圧室３内に容易に且つ安定的に収容できるようになる。
【図面の簡単な説明】
【図１】本発明のワックス処理装置を例示する正面図である。
【図２】本発明のワックス処理装置を例示する縦断側面図である。
【図３】本発明のワックス照明装置を例示する一部省略縦断正面図である。
【符号の説明】
Ｓ      ワックス処理装置
Ａ      減圧容器
１      容器基部                      ２      ハッチ
３      減圧室                        ４      確認窓部
５      ヒーター                      ６      保護体
７      減圧ポンプ                    ８      コントロールボックス
Ｂ      ラック
１０    基台                          １１    支持体
１２    支持腕                        １３    車輪
２０    スキー板
【図１】
0003826376.tif 000002
【図２】
0003826376.tif 000003
【図３】
0003826376.tif 000004